(57)【要約】【課題】  屋根の移動作業を容易に行えて、廃棄物処理用地の上部空間を有効に活用できる廃棄物処理方法を提供する。【解決手段】  本発明に係る廃棄物処理方法は、複数の廃棄物処理予定区域を形成し、複数の骨格部材間にシートが張られて構成される屋根１を廃棄物処理予定区域に設け、この屋根付き廃棄物処理予定区域に対する廃棄物１０の埋め立て作業後や、投入作業後や、搬入作業後に、上記屋根１を持ち上げてから移動して他の廃棄物処理予定区域の屋根を構成し、廃棄物の埋め立て作業後や、投入作業後や、搬入作業後の上記廃棄物処理予定区域の上に新たな廃棄物処理予定区域を形成した後に、上記他の廃棄物処理予定区域の屋根を持ち上げてから移動して上記新たな廃棄物処理予定区域（例えば埋立ピット４０Ｃ）の屋根１を構成し、この新たな廃棄物処理予定区域に対する廃棄物の埋め立て作業や、投入作業や、搬入作業を行う。【選択図】        図８
2005087787.tif 000002
【特許請求の範囲】
【請求項１】
複数の廃棄物処理予定区域を形成し、複数の骨格部材間にシートが張られて構成される屋根を廃棄物処理予定区域に設け、この屋根付き廃棄物処理予定区域に対する廃棄物の埋め立て作業後や、投入作業後や、搬入作業後に、上記屋根を持ち上げてから移動して他の廃棄物処理予定区域の屋根を構成し、廃棄物の埋め立て作業後や、投入作業後や、搬入作業後の上記廃棄物処理予定区域の上に新たな廃棄物処理予定区域を形成した後に、上記他の廃棄物処理予定区域の屋根を持ち上げてから移動して上記新たな廃棄物処理予定区域の屋根を構成し、この新たな廃棄物処理予定区域に対する廃棄物の埋め立て作業や、投入作業や、搬入作業を行うことを特徴とする廃棄物処理方法。
【請求項２】
上記屋根を揚重機で持ち上げて移動したことを特徴とする請求項１に記載の廃棄物処理方法。
【請求項３】
上記屋根を複数の廃棄物処理予定区域間に跨るように設置したことを特徴とする請求項１又は請求項２に記載の廃棄物処理方法。
【請求項４】
屋根を分割して移動することを特徴とする請求項１ないし請求項３のいずれかに記載の廃棄物処理方法。
【請求項５】
屋根は屋根頂部から下方に延長する一対の骨格部材間にシートが張られて成る屋根ユニットを複数組み合せて構成されたことを特徴とする請求項１ないし請求項４のいずれかに記載の廃棄物処理方法。
【請求項６】
骨格部材はアルミ合金により形成されたことを特徴とする請求項１ないし請求項５のいずれかに記載の廃棄物処理方法。
【発明の詳細な説明】
【技術分野】
【０００１】
本発明は、複数の廃棄物処理予定区域に屋根を移動して廃棄物の埋め立て作業や、投入作業や、搬入作業を行う廃棄物処理方法に関する。
【背景技術】
【０００２】
従来、廃棄物を投棄して埋め立てるために複数の単位埋立ピットを区画形成し、これら埋立ピットの土留壁上にレールを設けるとともに、埋立ピットを覆う屋根の下部にはレールを走行する車輪を設け、これらレール及び車輪から成る移動機構を介して複数の埋立ピット間で屋根を移動できるようにし、１つの埋立ピットに対する埋立処理が終わる毎に次の埋立ピットに屋根を水平移動するようにした廃棄物処理方法がある（例えば、特許文献１参照）。
【特許文献１】特許第２８８４２２９号公報
【発明の開示】
【発明が解決しようとする課題】
【０００３】
従来の屋根は鋼材等からなる骨組構造物で構成され重量があるために移動機構を用いて水平に移動させるようにしていた。このため、廃棄物埋立処理が完了した埋立ピットの上に新たな埋立ピットを設ける場合、この新たな埋立ピットに屋根を移動させることが困難であり、このため、廃棄物処理用地の上部空間を有効に活用できなかった。
【課題を解決するための手段】
【０００４】
本発明に係る廃棄物処理方法は、複数の廃棄物処理予定区域を形成し、複数の骨格部材間にシートが張られて構成される屋根を廃棄物処理予定区域に設け、この屋根付き廃棄物処理予定区域に対する廃棄物の埋め立て作業後や、投入作業後や、搬入作業後に、上記屋根を持ち上げてから移動して他の廃棄物処理予定区域の屋根を構成し、廃棄物の埋め立て作業後や、投入作業後や、搬入作業後の上記廃棄物処理予定区域の上に新たな廃棄物処理予定区域を形成した後に、上記他の廃棄物処理予定区域の屋根を持ち上げてから移動して上記新たな廃棄物処理予定区域の屋根を構成し、この新たな廃棄物処理予定区域に対する廃棄物の埋め立て作業や、投入作業や、搬入作業を行うようにした。また、屋根を揚重機で持ち上げて移動した。また、屋根を複数の廃棄物処理予定区域間に跨るように設置した。また、屋根を分割して移動した。また、屋根は屋根頂部から下方に延長する一対の骨格部材間にシートが張られて成る屋根ユニットを複数組み合せて構成した。また、骨格部材はアルミ合金により形成されたものを用いた。
【発明の効果】
【０００５】
本発明によれば、複数の骨格部材間にシートが張られて構成される屋根を用い、廃棄物の埋め立て作業や、投入作業や、搬入作業が完了した廃棄物処理予定区域の上に新たな廃棄物処理予定区域を設ける場合、揚重機で屋根を持ち上げて新たな廃棄物処理予定区域に移動させて廃棄物処理を行うので、屋根の移動作業を容易に行えて、廃棄物処理用地の上部空間を有効に活用できる。また、屋根を揚重機で持ち上げて他の廃棄物処理予定区域まで移動することにより、屋根の移動作業が容易になる。また、複数の廃棄物処理予定区域間に跨るように屋根を設置することにより、廃棄物処理と並行して以後の廃棄物処理予定区域の造成を行うことができ、廃棄物処理を効率的に行える。また、屋根を分割して移動するようにすれば、小型の揚重機で屋根を移動させることができる。また、屋根は屋根頂部から下方に延長する複数の骨格部材間にシートが張られて成る屋根としたので、隣接する骨格部材同士を固定することで屋根を形成でき、隣接する骨格部材同士の固定を解除することで分割できるので、取り扱いが容易であり、屋根移動、屋根組立作業を容易にできる。また、骨格部材をアルミ合金により形成したので、廃棄物に対する耐食性を保て、また、屋根の軽量化が図れる。また、屋根ユニットを組み換えることができるので、埋立ピットの開口部の大きさに柔軟に対応できる。
【発明を実施するための最良の形態】
【０００６】
図１は屋根の斜視図、図２は山間における廃棄物処理予定地に造成された廃棄物埋立処理前の廃棄物処分場を示す図、図３〜図１０は廃棄物処分場での廃棄物埋立処理及び屋根移動の様子を示す図である。尚、図３〜図１０の（ａ）は平面図、（ｂ）は（ａ）のＡ−Ａ断面図である。
屋根１は、例えば図１に示すように複数の屋根ユニットにより構成され、妻側に配置される屋根ユニット２Ａ，２Ａは、２本の骨格部材２ａ，２ｂ間にシート２ｄが張設されており、また、妻側に位置する骨格部材２ａの屋根頂部に相当する箇所から下方に延長するように骨格部材２ｃが設けられており、この骨格部材２ｃと骨格部材２ａ間にもシート２ｄが張設されている。中央側に配置される屋根ユニット２Ｂ，２Ｂは、２本の骨格部材２ｂ，２ｂ間にシート２ｄが張設されている。シート２ｄは例えばポリエステル織布等のシートを用いる。各屋根ユニット２Ａ，２Ｂ，２Ｂ，２Ａは、隣合う骨格部材２ｂ，２ｂが適当な固定手段（図示せず）で固定されて、これにより、屋根ユニット２Ａ，２Ｂ，２Ｂ，２Ａとシート２ｄとで屋根面と全側面とが閉塞された屋根１が構成される。従って、固定手段による固定を解除することで各屋根ユニット２Ａ，２Ｂ，２Ｂ，２Ａに分離することができる。即ち、屋根１は屋根頂部から下方斜めに延長する一対の骨格部材間にシートが張られて成る屋根ユニットを複数組み合せて構成されており、隣合う骨格部材２ｂ，２ｂを固定することにより屋根１が形成され、固定を解除することで各屋根ユニット２Ａ，２Ｂ，２Ｂ，２Ａに分離することができるので、取り扱いが容易で、かつ、軽量であり、屋根移動、屋根組立作業を容易にできる。尚、各屋根ユニットの骨格部材間には適宜間隔で横支持棒材２ｅが設けられている。この横支持棒材２ｅとして伸縮可能な棒材を用いれば、シート２ｄの張り具合を調整できる。２ｇは出入口である。
屋根１の形状は、骨格部材の形状、配置等を工夫することにより、様々な形状に設定でき、屋根ユニットの大きさや数等により、大きさを自由に設定できる。
骨格部材２ａ，２ｂ，２ｃ及び横支持棒材２ｅは例えば木や、スチール，アルミ合金，マグネシウム合金等の金属をパイプ材やアングル材等に加工した軽量かつ強度の高いものを用いればよい。特にアルミ合金で形成されたものを用いることにより、廃棄物から排出する塩素ガス等で腐食しにくく、耐食性を保て、また、屋根１の軽量化が図れる。
【０００７】
図２に示すように、山間の廃棄物処理予定地１００においては、最初、第１期処分場１０１が造成される。第１期処分場１０１においては区画堰堤３により区分けされた１段目の３つの埋立ピット（廃棄物処理予定区域）４Ａ，４Ｂ，４Ｃが区画されている。３Ａ〜３Ｄは周囲段土堤である。まず、図３に示すように第１埋立ピット４Ａ全体の上を屋根１で覆った後に廃棄物の埋立処理を行う。屋根１はクレーン等の揚重機で持ち上げて移動する。この場合、屋根１そのものをそのまま揚重機で持ち上げて移動してもよいし、複数の屋根ユニットを複数回に分けて移動してもよい。例えば、図１の屋根１を中央の部分で分割して、締結された屋根ユニット２Ａと屋根ユニット２Ｂとから成る２組の半体２ＡＢを２回に分けて移動してもよい。また、屋根ユニットを１つずつ移動してもよい。どのように移動するかは、揚重機の揚重容量等を考慮して決めればよい。よって、従来のように屋根移動のための移動機構を不要とでき、また、従来のようにレールや車輪がさび付くことによる不具合は生じないので、従来に比べて屋根１の移動作業をスムーズに行える。屋根１を屋根ユニットに分割して移動すれば、小型の揚重機で屋根を移動させることができ、また、移動作業も容易になる。
【０００８】
第１埋立ピット４Ａでの埋立処理が終了したら図４に示すように屋根１を第２埋立ピット４Ｂに移動する。尚、屋根１は埋立ピットの大きさに合せて屋根ユニットを増減して第２埋立ピット４Ｂ全体を覆うように大きさを調整する。即ち、屋根１をクレーン等の揚重機で持ち上げて次の埋立ピットに移動してから屋根ユニットを増減して屋根１を次の埋立ピットの大きさを調整したり、屋根１を揚重機で持ち上げて次の埋立ピットに移動する前に作業場所に移動してから屋根ユニットを増減して屋根１を次の埋立ピットの大きさを調整した後に屋根１を揚重機で持ち上げて次の埋立ピットに移動する。第２埋立ピット４Ｂにおける第１埋立ピット４Ａ側から埋立処理を行い、この部分における埋立処理が終了したら図５に示すように屋根１を第３埋立ピット４Ｃ側に移動し、第２埋立ピット４Ｂと第３埋立ピット４Ｃとに跨るように屋根１を設置する。その後、屋根１が設けられた第２埋立ピット４Ｂと第３埋立ピット４Ｃの埋立処理と並行して、図５に示すように、処理済みの埋立ピット４Ａ，４Ｂの上に区画堰堤３０及び土堰堤２０を築造し、２段目の第１埋立ピット４０Ａを造成する。このように、複数の埋立ピット間に跨るように屋根１を設置すれば、埋立処理と並行して以後のピット造成を行うことができ、廃棄物埋立処理を効率的に行える。そして、１段目の第３埋立ピット４Ｃの埋立処理を行った後、揚重機で屋根１を持ち上げて図６に示すように２段目の第１埋立ピット４０Ａに移動する。尚、２段目の第１埋立ピット４０Ａの埋立処理と並行してこの２段目の第１埋立ピット４０Ａの横に位置する処理済みの１段目の埋立ピットの上に区画堰堤３１及び土堰堤２１を築造して、２段目の第２埋立ピット４０Ｂ及び２段目の第３埋立ピット４０Ｃを造成する。そして、２段目の第１埋立ピット４０Ａの埋立処理を行った後、図７に示すように、揚重機で屋根１を持ち上げて２段目の第２埋立ピット４０Ｂに移動し、第２埋立ピット４０Ｂの埋立処理を行った後、図８に示すように屋根１を２段目の第３埋立ピット４０Ｃに移動し、この第３埋立ピット４０Ｃの埋立処理と並行して、処理済みの２段目の第１埋立ピット４０Ａ及び第２埋立ピット４０Ｂの上に土堰堤２２及び区画堰堤３２を築造しておき、さらに、第３埋立ピット４０Ｃの埋立処理後にこの処理済みの第３埋立ピット４０Ｃの上に区画堰堤３２に延長する区画堰堤３３を築造して区画堰堤３４を形成し、３段目の第１埋立ピット４００Ａ（図９参照）を造成する。そして、図９に示すように２段目の第３埋立ピット４０Ｃから３段目の第１埋立ピット４００Ａに屋根１を移動し、３段目の第１埋立ピット４００Ａの埋立処理を行う。この時、第２期処分場１０２を造成し、３段目の第１埋立ピット４００Ａのピット内処理が終わったら、図１０に示すように１段目の第４埋立ピット４Ｄ（第２期処分場の１段目の第１埋立ピット）に屋根１を移動する。以後、同様に、第２期処分場１０２の各ピットの埋立処理及び屋根移動を行っていく。
【０００９】
以上のように、揚重機で屋根１を持ち上げて１段目から２段目の埋立ピット、２段目から３段目の埋立ピットに移動していって、下から上に積層状態に廃棄物埋立処理を行うことができるので、廃棄物処理用地の上部空間を有効に活用できる。また、屋根１の移動作業もスムーズに行える。さらに、各屋根ユニットを組み換えることにより、埋立ピットの開口部の大きさが異なる場合でも、埋立ピットを完全に覆うことのできる屋根を容易に構築できる。
尚、屋根１の下端側は、骨格部材の下端に設けた固定部（図示せず）を、周囲段土堤や区画堰堤や処理済みのピットの上や土堰堤に埋め込むとともにカウンターウエイト等を取付けて固定することで、屋根１の下端側を固定する。
【００１０】
また、距離の離れた埋立ピット間において屋根を移動させる場合は、屋根１をクレーン等の揚重機で持ち上げて運搬車等に載せてから運搬してから屋根１をクレーン等の揚重機で持ち上げて埋立ピットの上に設置するようしてもよい。また、リフト等の起重機で屋根１を持ち上げて移動してもよい。
【産業上の利用可能性】
【００１１】
上記では、廃棄物処理予定区域としての廃棄物最終処分埋立ピットに廃棄物を埋め立てる廃棄物処理について説明したが、本発明は、廃棄物処理予定区域としての廃棄物仮置き区域に廃棄物を仮置きする廃棄物処理や廃棄物処理予定区域としての廃棄物積替え区域に廃棄物を置く廃棄物の投入・搬入の廃棄物処理の場合にも適用できる。
【図面の簡単な説明】
【００１２】
【図１】本発明に用いる屋根の斜視図。
【図２】山間における廃棄物処理予定地に造成された廃棄物埋立処理前の廃棄物処分場を示す図。
【図３】廃棄物処分場での廃棄物埋立処理及び屋根移動の様子を示す図であり、（ａ）は平面図、（ｂ）は（ａ）のＡ−Ａ断面図。
【図４】廃棄物処分場での廃棄物埋立処理及び屋根移動の様子を示す図であり、（ａ）は平面図、（ｂ）は（ａ）のＡ−Ａ断面図。
【図５】廃棄物処分場での廃棄物埋立処理及び屋根移動の様子を示す図であり、（ａ）は平面図、（ｂ）は（ａ）のＡ−Ａ断面図。
【図６】廃棄物処分場での廃棄物埋立処理及び屋根移動の様子を示す図であり、（ａ）は平面図、（ｂ）は（ａ）のＡ−Ａ断面図。
【図７】廃棄物処分場での廃棄物埋立処理及び屋根移動の様子を示す図であり、（ａ）は平面図、（ｂ）は（ａ）のＡ−Ａ断面図。
【図８】廃棄物処分場での廃棄物埋立処理及び屋根移動の様子を示す図であり、（ａ）は平面図、（ｂ）は（ａ）のＡ−Ａ断面図。
【図９】廃棄物処分場での廃棄物埋立処理及び屋根移動の様子を示す図であり、（ａ）は平面図、（ｂ）は（ａ）のＡ−Ａ断面図。
【図１０】廃棄物処分場での廃棄物埋立処理及び屋根移動の様子を示す図であり、（ａ）は平面図、（ｂ）は（ａ）のＡ−Ａ断面図。
【符号の説明】
【００１３】
１  屋根、２Ａ，２Ｂ  屋根ユニット、２ａ，２ｂ，２ｃ  骨格部材、２ｄ  シート、
４Ａ〜４Ｄ，４０Ａ〜４０Ｃ，４００Ａ  埋立ピット（廃棄物処理予定区域）。
【図１】
2005087787.tif 000003
【図２】
2005087787.tif 000004
【図３】
2005087787.tif 000005
【図４】
2005087787.tif 000006
【図５】
2005087787.tif 000007
【図６】
2005087787.tif 000008
【図７】
2005087787.tif 000009
【図８】
2005087787.tif 000010
【図９】
2005087787.tif 000011
【図１０】
2005087787.tif 000012